(57)【要約】【課題】施工に要するコストを低減できる堤脚水路用ブロックを提供する。【解決手段】堤脚水路用ブロック１０は流水路１５を画成する左側版部１１，右側版部１２，頂版部１３及び底版部１４と頂版部１３の一側部上（左側版部１１上）に左側版部１１と外側面を共有する土留め用壁部１６とを一体に有しており、土留め用壁部１６と外側面を共有する左側版部１１に流水路１５と連通する取水孔１８が設けられている。【選択図】図２
2008184768.tif 000002
【特許請求の範囲】
【請求項１】
流水路を画成する左側版部，右側版部，頂版部及び底版部と頂版部の一側部上に左右側版部の一方と外側面を共有する土留め用壁部とを一体に有し、且つ、土留め用壁部と外側面を共有する左右側版部の一方に流水路と連通する取水孔が設けられている、堤脚水路用ブロック。
【請求項２】
流水路を画成する左側版部，右側版部，頂版部及び底版部と頂版部の一側部上に左右側版部の一方と外側面を共有する土留め用壁部とを一体に有し、且つ、土留め用壁部と外側面を共有する左右側版部の一方に流水路と連通する取水孔が設けられている堤脚水路用ブロックを複数個連結して構成された堤脚水路と、
堤脚水路の取水孔の外側に該取水孔と向き合うように配置された通水性のドレーン部と、
堤防の一部を構成し、且つ、ドレーン部を覆うと共に堤脚水路の土留め用壁部に支えられた盛土と、
を含む水路構造物。
【発明の詳細な説明】
【技術分野】
【０００１】
本発明は、堤脚水路を構築する際に用いられるブロックと、堤脚水路を含む水路構造物に関する。
【背景技術】
【０００２】
堤防の一側には堤体内の浸透水の集水を目的として堤脚水路用ブロックを複数個連結して構成された堤脚水路が一般に設けられている。
【０００３】
従前の堤脚水路用ブロックは縦断面Ｌ字形の第１ブロックと縦断面逆Ｌ字形の第２ブロックとを縦断面矩形の流水路が形成されるように組み合わせて構成されており、縦断面Ｌ字形の第１ブロックの側版部分には流水路内に水を取り込むための取水手段（多孔質コンクリート部または孔）が設けられている。また、組み合わせ後の縦断面Ｌ字形の第１ブロックの側版部分は縦断面逆Ｌ字形の第２ブロックの頂版部分の上面よりも高い位置まで延びていて、該延びた部分は堤防の法面に沿って落下した土砂等を受け止めるための土留め部分として利用されている。
【特許文献１】特開２００４−２４４８８１
【発明の開示】
【発明が解決しようとする課題】
【０００４】
従前の堤脚水路用ブロックは縦断面Ｌ字形の第１ブロックと縦断面逆Ｌ字形の第２ブロックとを縦断面矩形の流水路が形成されるように組み合わせて構成されたものであるため、堤脚水路を構築するときには（１）現場にて第１ブロックと第２ブロックを連結して堤脚水路用ブロックを組み立ててから該ブロックを載置して連結する作業、或いは、（２）現場にて第１ブロックを載置して連結してから各第１ブロックに第２ブロックを組み付けて相互に連結する作業が必要となるが、作業が繁雑であるため堤脚水路及び該堤脚水路を含む水路構造物の施工に要するコスト（日数及び労力）がかかってしまうことを避けられない。
【０００５】
本発明は前記事情に鑑みて創作されたもので、その目的とするところは、施工に要するコストを低減できる堤脚水路用ブロックと堤脚水路を含む水路構造物を提供することにある。
【課題を解決するための手段】
【０００６】
前記目的を達成するため、本発明の堤脚水路用ブロックは、流水路を画成する左側版部，右側版部，頂版部及び底版部と頂版部の一側部上に左右側版部の一方と外側面を共有する土留め用壁部とを一体に有し、且つ、土留め用壁部と外側面を共有する左右側版部の一方に流水路に連通する取水孔が設けられている。
【０００７】
また、本発明の水路構造物は、流水路を画成する左側版部，右側版部，頂版部及び底版部と頂版部の一側部上に左右側版部の一方と外側面を共有する土留め用壁部とを一体に有し、且つ、土留め用壁部と外側面を共有する左右側版部の一方に流水路に連通する取水孔が設けられている堤脚水路用ブロックを複数個連結して構成された堤脚水路と；堤脚水路の取水孔の外側に該取水孔と向き合うように配置された通水性のドレーン部と；堤防の一部を構成し、且つ、ドレーン部を覆うと共に堤脚水路の土留め用壁部に支えられた盛土とを含む。
【０００８】
前記堤脚水路用ブロックは、流水路を画成する左側版部，右側版部，頂版部及び底版部と頂版部の一側部上に左右側版部の一方と外側面を共有する土留め用壁部とを一体に有しているので、該堤脚水路用ブロックを載置して連結するだけの比較的簡単な作業で所期の堤脚水路を構築でき、これにより堤脚水路及び該堤脚水路を含む水路構造物の施工に要するコスト（日数及び労力）を低減できる。
【発明の効果】
【０００９】
本発明によれば、施工に要するコストを低減できる堤脚水路用ブロックと堤脚水路を含む水路構造物を提供できる。
【００１０】
本発明の前記目的とそれ以外の目的と、構成特徴と、作用効果は、以下の説明と添付図面によって明らかとなる。
【発明を実施するための最良の形態】
【００１１】
図１〜図３は堤脚水路用ブロック１０を示す。以下の説明では、説明の便宜上、図１の手前側を前、奥側を後、左側を左、右側を右と表記する。図１は堤脚水路用ブロックの前面図、図２は図１の左側面図、図３は図１の右側面図である。
【００１２】
図１〜図３に示した堤脚水路用ブロック１０は、左側版部１１，右側版部１２，頂版部１３，底版部１４及びこれらで囲まれた縦断面略矩形の流水路１５を有すると共に、頂版部１３の一側部上（左側版部１１上）に左側版部１１と外側面を共有する矩形板状の土留め用壁部１６を有し、底版部１４の左側版部１１側に延長部１７を有する。左側版部１１，右側版部１２，頂版部１３，底版部１４，土留め用壁部１６及び延長部１７はコンクリートによって一体物として形成されている。また、左側版部１１には縦長略矩形状を成す複数個（図中は６個）の取水孔１８が流水路１５と連通して設けられている。
【００１３】
図面には各取水孔１８の外側（堤防側）の開口面積と内側（流水路側）の開口面積が同じものを示してあるが、ブロック製造過程で取水孔用入れ子を引き抜く際に各取水孔１８の内面に抜きテーパが残存する場合には各取水孔１８の内側（流水路側）の開口面積は外側（堤防側）の開口面積よりも若干小さくなる。
【００１４】
因みに、図１〜図３における符号Ｗｔは頂版部１３の上面の左右幅を示し、符号Ｗｂは底版部１４及び延長部１７の下面の左右幅を示し、符号ｗ１は延長部１７の左右幅を示し、符号ｗ２は各取水孔１８の前後幅を示す。また、符号Ｈは堤脚水路用ブロック１０全体の高さを示し、符号ｈ１は土留め用壁部１６の頂版部１３の上面からの高さを示し、符号ｈ２は各取水孔１８の上下寸法を示し、符号ｈ３は各取水孔１８の下端の下面からの高さを示す。さらに、符号Ｌは堤脚水路用ブロック１０全体の前後長さを示し、符号ｄは各取水孔１８の中心線間隔を示す。さらにまた、符号ｔ１は左側版部１１の厚さを示し、符号ｔ２は右側版部１２の厚さを示し、符号ｔ３は頂版部１３の厚さを示し、符号ｔ４は底版部１４の厚さを示し、符号ｔ５は土留め用壁部１６の厚さを示し、符号ｔ６は延長部１７の厚さを示す。
【００１５】
左右幅Ｗｔ，左右幅Ｗｂ，高さＨ，高さｈ１，長さＬ，厚さｔ１〜ｔ５は、構築すべき堤脚水路のサイズ及び剛性等に準じて適宜選定される。また、左右幅ｗ１，厚さｔ６，高さｈ３及び中心線間隔ｄは、各取水孔１８に向き合うように配置される通水性のドレーン部（図４及び図５の符号２３参照）のサイズ等に準じて適宜選定される。
【００１６】
各取水孔１８の外側（堤防側）の開口の大きさを規定する前後幅ｗ２及び上下寸法ｈ２とその個数も基本的には各取水孔１８に向き合うように配置される通水性のドレーン部（図４及び図５の符号２３参照）のサイズ等に準じて適宜選定されるが、以下の理由により該前後幅ｗ２及び上下寸法ｈ２は０．３Ａ≧ａｔ≧０．０５Ａの条件、好ましくは０．１５Ａ≧ａｔ≧０．０９Ａの条件を満足するように選定することが望ましい。
【００１７】
当該条件におけるａｔは各取水孔１８の外側（堤防側）の開口面積の総和であり、前記堤脚水路用ブロック１０にあっては取水孔１８の個数は６であるためａｔ＝ａ（≒ｗ２×ｈ２）×６となる。また、当該条件におけるＡは堤脚水路用ブロック１０を左側面からみたときの総面積から壁部１６の外側面の面積を減じた値、即ち左側版部１１の外側面面積であり、前記堤脚水路用ブロック１０にあってはＡ＝（Ｈ−ｈ１）×Ｌとなる。
【００１８】
各取水孔１８は堤体内の浸透水を流水路１５に取り込む役割を成すものであるが、ａｔの値が０．０５Ａの値を下回ると浸透水の量が増加したときに該役割を十分に発揮することが難しくなる。また、ａｔの値が０．３Ａの値を上回ると土圧等の影響で主として左側版部１１に亀裂を生じる恐れが高くなる。要するに、ａｔの値を０．３Ａ≧ａｔ≧０．０５Ａの条件、好ましくは０．１５Ａ≧ａｔ≧０．０９Ａの条件を満足するように選定すれば、浸透水の量が増加したときでも堤体内の浸透水を流水路１５に取り込む役割を十分に発揮させ、且つ、土圧等の影響で主として左側版部１１に亀裂を生じる恐れを回避できる。
【００１９】
また、前記役割からすれば取水孔１８の個数は１個でも構わないが、取水速度を速めるためには前記条件を満足する範囲内でより多くの取水孔１８を長さ方向で配列したほうが望ましい。
【００２０】
図４は図１〜図３に示した堤脚水路用ブロック１０を用いて構築された堤脚水路２０を含む水路構造物を示す。
【００２１】
図４における符号２０は堤脚水路、符号２１は堤防、符号２１ａは盛土、符号２２は基礎、符号２３は通水性のドレーン部、符号２４は道路、符号Ｒは河川，湖，池または海である。
【００２２】
堤脚水路２０は、現場で形成した基礎２２上に図１〜図３に示した堤脚水路用ブロック１０を載置して長さ方向に連結することによって構築されている。基礎２２は砕石を基準面が得られるように敷設したものの他、コンクリートを流して基準面が得られるように硬化させたものや、砕石の敷設したものの上にコンクリートを流して基準面が得られるように硬化させたもの等が利用できる。
【００２３】
ドレーン部２３は砕石や砂利等を金網等の網材内に納め入れたものから成り、堤脚水路２０の取水孔１８の外側に該取水孔１８と向き合うように配置されている。堤防２１の一部を構成する盛土２１ａは堤脚水路２０を構築してドレーン部２３を配置した後に該ドレーン部２３を覆うように設けられており、堤脚水路２０の近傍部分を土留め用壁部１６に支えられている。
【００２４】
道路２４はその上面が堤脚水路２０の頂版部１３の上面と同一平面に位置するように設けられている。この道路は歩道であってもよいし車道であってもよい。
【００２５】
図５は図１〜図３に示した堤脚水路用ブロック１０を用いて構築された堤脚水路２０を含む他の水路構造物を示す。
【００２６】
図５に示した水路構造物が図４に示した水路構造物と異なるところは、道路２４’の上面高さを堤脚水路２０の頂版部１３の上面よりも低い高さとした点にある。他の構成は図４に示した水路構造物と同じであるので同一符号を付してその説明を省略する。
【００２７】
この水路構造物にあっては、堤脚水路２０の頂版部１３の上面を歩道とし道路２４’を車道とする利用方法が可能である。この場合、堤脚水路２０の道路２４’側に面した側版部（右側版部１２）はその段差によって歩道と車道との境界を形成する。
【００２８】
このように、前述の堤脚水路用ブロック１０は、流水路１５を画成する左側版部１１，右側版部１２，頂版部１３及び底版部１４と頂版部１３の一側部上（左側版部１１上）に左側版部１１と外側面を共有する土留め用壁部１６とを一体に有しているので、該堤脚水路用ブロック１０を載置して連結するだけの比較的簡単な作業で所期の堤脚水路２０を構築でき、これにより堤脚水路２０及び該堤脚水路２０を含む水路構造物の施工に要するコスト（日数及び労力）を低減できる。
【００２９】
また、堤脚水路用ブロック１０の各取水孔１８の外側（堤防側）の開口面積の総和ａｔの値を０．３Ａ≧ａｔ≧０．０５Ａの条件（Ａは左側版部１１の外側面面積）を満足するように選定することにより、堤体内の浸透水を流水路１５に取り込む役割を十分に発揮させ、且つ、土圧等の影響で主として左側版部１１に亀裂を生じる恐れを回避できる。
【００３０】
尚、前述の説明では、堤脚水路用ブロック１０として頂版部１３の一側部上（左側版部１１上）に左側版部１１と外側面を共有する土留め用壁部１６を有するものを示したが、左側版部１１を右側版部１２と称し右側版部１２を左側版部１１と称する場合には土留め用壁部１６は右側版部１２と外側面を共有することになる。
【００３１】
また、前述の説明では、堤脚水路用ブロック１０として延長部１７を有するものを示したが、該延長部１７は必ずしも必要なものではない。
【００３２】
さらに、前述の説明では、堤脚水路用ブロック１０として６個の取水孔１８を有するものを示したが、取水孔１８の個数は前記条件（０．３Ａ≧ａｔ≧０．０５Ａ）を満足する範囲内で適宜増減してもよい。
【図面の簡単な説明】
【００３３】
【図１】堤脚水路用ブロックの前面図である。
【図２】図１の左側面図である。
【図３】図１の右側面図である。
【図４】図１〜図３に示した堤脚水路用ブロックを用いて構築された堤脚水路を含む水路構造物を示す図である。
【図５】図１〜図３に示した堤脚水路用ブロック１０を用いて構築された堤脚水路２０を含む他の水路構造物を示す図である。
【符号の説明】
【００３４】
１０…堤脚水路、１１…左側版部、１２…右側版部、１３…頂版部、１４…底版部、１５…流水路、１６…土留め用壁部、１８…取水孔、２０…堤脚水路、２１…堤防、２１ａ…盛土、２３…ドレーン部。
【図１】
2008184768.tif 000003
【図２】
2008184768.tif 000004
【図３】
2008184768.tif 000005
【図４】
2008184768.tif 000006
【図５】
2008184768.tif 000007